(57)【要約】【課題】部屋毎の空き状況を瞬時に把握することができる放射線治療スケジュール管理システム、放射線治療スケジュール管理方法及び放射線治療スケジュール管理プログラムを提供する。【解決手段】放射線治療スケジュール管理システム１００は、粒子線治療に関するイベントの実施予定情報を日付毎かつ部屋１１０毎に区別されるタイムコラム４１０上の予定時間帯に表示することで空き時間を可視化させた表画像を生成する視覚表生成部１４と、表画像をスケジュール表４００として出力する入出力部１２と、を備える。【選択図】  図３
2019013660.tif 000002
【特許請求の範囲】
【請求項１】
粒子線治療に関するイベントの実施予定情報を日付毎かつ部屋毎に区別されるタイムコラム上の予定時間帯に表示することで空き時間を可視化させた表画像を生成する視覚表生成部と、
前記表画像をスケジュール表として出力する入出力部と、を備えることを特徴とする放射線治療スケジュール管理システム。
【請求項２】
前記視覚表生成部は、
各イベントに対応するとともに前記各イベントの所要時間に応じた枠高さを有するイベント枠を生成するイベント枠生成機構と、
前記タイムコラムを生成するとともに前記イベント枠をこのタイムコラムに挿入するタイムテーブル生成機構と、を備える請求項１に記載の放射線治療スケジュール管理システム。
【請求項３】
前記視覚表生成部は、
２以上の前記イベントが占有する前記予定時間帯の少なくとも一部が重複した場合に前記イベント枠を並列に配置して表示させる請求項２に記載の放射線治療スケジュール管理システム。
【請求項４】
前記視覚表生成部は、
前記イベント枠の色彩、フォント及びアイコンの少なくともいずれかを患者の属性又は前記イベントに合わせて変更する識別表示部を備える請求項２又は請求項３に記載の放射線治療スケジュール管理システム。
【請求項５】
前記視覚表生成部は、
前記枠高さの決定時に前記イベントのデフォルトの所要時間を通知するデフォルト通知部を備える請求項２から請求項４のいずれか１項に記載の放射線治療スケジュール管理システム。
【請求項６】
前記視覚表生成部は、
前記イベントの実施される日付情報が入力済みで、部屋情報及び実施時刻情報の少なくともいずれかが未入力のイベント件数を未確定予定欄に表示する未確定予定管理部を備える請求項１から請求項５のいずれか１項に記載の放射線治療スケジュール管理システム。
【請求項７】
前記スケジュール表が表示された画面上のカーソルの位置を感知して前記未確定予定管理部に通知するカーソル感知部を備え、
前記未確定予定管理部は、
前記カーソルが前記スケジュール表中の未確定予定欄上に配置された際に未確定の前記イベントの一覧をツールチップで表示して前記一覧から選択されたイベントの情報を編集させる請求項６に記載の放射線治療スケジュール管理システム。
【請求項８】
前記視覚表生成部は、
前記イベントの実施が不能な時間帯を前記タイムコラム上に入力不能範囲として表示して前記入力不能範囲の前記イベント枠の挿入を禁止する禁忌管理部を備える請求項２から請求項７のいずれか１項に記載の放射線治療スケジュール管理システム。
【請求項９】
前記スケジュール表上で前記イベントの情報の変更が可能な請求項１から請求項８のいずれか１項に記載の放射線治療スケジュール管理システム。
【請求項１０】
前記視覚表生成部は、
前記タイムコラム上の前記イベント枠を実施済みのものと未実施のものとで区別して表示する請求項２から請求項９のいずれか１項に記載の放射線治療スケジュール管理システム。
【請求項１１】
前記視覚表生成部は、
部位毎、患者毎、及びプロトコル毎の過去の治療実績データを表示する請求項１から請求項１０のいずれか１項に記載の放射線治療スケジュール管理システム。
【請求項１２】
前記視覚表生成部は、
ユーザが記入可能な連絡事項欄を前記表画像上に表示する連絡事項管理部を備える請求項１から請求項１１のいずれか１項に記載の放射線治療スケジュール管理システム。
【請求項１３】
前記視覚表生成部は、
前記タイムコラムに基づいてからこのタイムコラムを非表示にした前記部屋毎の月単位表示に切り替える切り替え機能を有する請求項１から請求項１２のいずれか１項に記載の放射線治療スケジュール管理システム。
【請求項１４】
前記視覚表生成部は、
前記部屋毎の月単位表示の各日付にイベント詳細をツールチップで表示する請求項１から請求項１３のいずれか１項に記載の放射線治療スケジュール管理システム。
【請求項１５】
前記視覚表生成部は、
前記イベントを登録するユーザを選択するユーザ設定受付部を備え、
前記イベント枠を選択されたユーザ名別に登録された表示形式で表示する請求項２から請求項１４のいずれか１項に記載の放射線治療スケジュール管理システム。
【請求項１６】
粒子線治療に関するイベントの実施予定情報を日付毎かつ部屋毎に区別されるタイムコラム上の予定時間帯に表示することで空き時間を可視化させた表画像を生成するステップと、
前記表画像をスケジュール表として出力するステップと、を含むことを特徴とする放射線治療スケジュール管理方法。
【請求項１７】
コンピュータに、
粒子線治療に関するイベントの実施予定情報を日付毎かつ部屋毎に区別されるタイムコラム上の予定時間帯に表示することで空き時間を可視化させた表画像を生成するステップ、
前記表画像をスケジュール表として出力するステップ、を実行させることを特徴とする放射線治療スケジュール管理プログラム。
【発明の詳細な説明】
【技術分野】
【０００１】
本発明の実施形態は、放射線治療施設における各部屋のスケジュール管理技術に関する。
【背景技術】
【０００２】
近年、がん治療方法としてメスが不要な放射線治療の需要が高まっている。
年間２０００人程度の放射線治療が計画されるような大規模な病院では、日毎の部屋単位での厳密なスケジュール管理が必要になる。
【０００３】
スケジュール管理を容易にするため、スケジュール管理手段には、予定の確認、及びスケジュール変更が容易であることが要求される。
従来から、設備の稼働状態を加味した直近１週間における部屋毎の患者治療順を調整する技術が利用されている。
【先行技術文献】
【特許文献】
【０００４】
【特許文献１】特開２０００−２２２５０７号公報
【発明の概要】
【発明が解決しようとする課題】
【０００５】
しかしながら、従来では、部屋毎のスケジュールはイベントを単純に実行順に配列した一覧表示しかなく、どの時間帯に空き時間があるかを瞬時に判断することができないという課題があった。
【０００６】
本発明はこのような事情を考慮してなされたもので、部屋毎の空き状況を瞬時に把握することができる放射線治療スケジュール管理システム、放射線治療スケジュール管理方法及び放射線治療スケジュール管理プログラムを提供することを目的とする。
【課題を解決するための手段】
【０００７】
本実施形態に係る放射線治療スケジュール管理システムは、粒子線治療に関するイベントの実施予定情報を日付毎かつ部屋毎に区別されるタイムコラム上の予定時間帯に表示することで空き時間を可視化させた表画像を生成する視覚表生成部と、前記表画像をスケジュール表として出力する入出力部と、を備えるものである。
【０００８】
本実施形態に係る放射線治療スケジュール管理方法は、粒子線治療に関するイベントの実施予定情報を日付毎かつ部屋毎に区別されるタイムコラム上の予定時間帯に表示することで空き時間を可視化させた表画像を生成するステップと、前記表画像をスケジュール表として出力するステップと、を含むものである。
【０００９】
本実施形態に係る放射線治療スケジュール管理プログラムは、コンピュータに、粒子線治療に関するイベントの実施予定情報を日付毎かつ部屋毎に区別されるタイムコラム上の予定時間帯に表示することで空き時間を可視化させた表画像を生成するステップ、前記表画像をスケジュール表として出力するステップ、を実行させるものである。
【発明の効果】
【００１０】
本発明により、部屋毎の空き状況を瞬時に把握することができる放射線治療スケジュール管理システム、放射線治療スケジュール管理方法及び放射線治療スケジュール管理プログラムが提供される。
【図面の簡単な説明】
【００１１】
【図１】実施形態に係る放射線治療スケジュール管理システムを備えた病院内の情報ネットワークの概略構成図。
【図２】実施形態に係る放射線治療スケジュール管理システムのイベント登録ウィンドウを示す図。
【図３】第１実施形態に係る放射線治療スケジュール管理システムの概略構成図。
【図４】第１実施形態で生成されるスケジュール表を示す図。
【図５】患者治療データテーブルを示す図。
【図６】（Ａ）はイベント所要時間マスタテーブルを示す図、（Ｂ）は治療スケジュールデータテーブルを示す図。
【図７】患者治療スケジュールデータテーブルを示す図。
【図８】第１実施形態に係る放射線治療スケジュール管理方法を示すフローチャート。
【図９】第２実施形態に係る放射線治療スケジュール管理システムの概略構成図。
【図１０】加速器稼働スケジュールテーブルを示す図。
【図１１】加速器の非稼動日及び部屋の使用不可日をスケジュール表の一部を示す図。
【図１２】部屋使用スケジュールデータテーブルを示す図。
【図１３】コースマスタテーブルを示す図。
【図１４】第３実施形態に係る放射線治療スケジュール管理システムの概略構成図。
【図１５】ユーザ設定データテーブルを示す図。
【図１６】第４実施形態に係る放射線治療スケジュール管理システムの概略構成図。
【図１７】（Ａ）は未指定欄に表示される第１ツールチップを示す図、（Ｂ）は時間外欄に表示される第２ツールチップを示す図。
【図１８】イベント枠に詳細ポップアップが表示されている状態を示す図。
【図１９】第５実施形態に係る放射線治療スケジュール管理システムの概略構成図。
【図２０】第６実施形態で生成されるスケジュール表を示す図。
【図２１】第６実施形態に係る放射線治療スケジュール管理システムの概略構成図。
【図２２】一括移動部が表示させるイベント移動ウィンドウを示す図。
【図２３】第７実施形態に係る放射線治療スケジュール管理システムの概略構成図。
【図２４】第７実施形態で生成されるスケジュール表を示す図。
【図２５】第８実施形態に係る放射線治療スケジュール管理システムの概略構成図。
【図２６】第８実施形態において実績表示モードにされたタイムコラムを示す図。
【図２７】第８実施形態に係る放射線治療スケジュール管理システムが表示する実績入力ウィンドウを示す図。
【図２８】第９実施形態に係る放射線治療スケジュール管理システムの概略構成図。
【図２９】治療実績データテーブルを示す図。
【図３０】第１０実施形態に係る放射線治療スケジュール管理システムの概略構成図。
【図３１】第１０実施形態で生成されるスケジュール表を示す図。
【図３２】第１０実施形態に係る放射線治療スケジュール管理システムが表示する連絡事項登録ウィンドウを示す図。
【図３３】連絡事項データテーブルを示す図。
【図３４】第１１実施形態に係る放射線治療スケジュール管理システムの概略構成図。
【図３５】第１１実施形態で生成されるスケジュール表を示す図。
【図３６】第１１実施形態で生成されるカレンダ表示表を示す図。
【図３７】第１２実施形態に係る放射線治療スケジュール管理システムの概略構成図。
【図３８】第１２実施形態で生成されるカレンダ表示表を示す図。
【発明を実施するための形態】
【００１２】
以下、本発明の実施形態を添付図面に基づいて説明する。
【００１３】
図１は、放射線治療スケジュール管理システム（以下、単に「管理システム１００」という）を備えた病院内の情報ネットワーク２００の概略構成図である。
【００１４】
病院内の放射線治療部門は、図１に示されるように、例えば、複数の治療室１１１（１１１１〜１１１n）、複数のスタッフ室１１２k（ｋ＝１〜ｎ）、複数の準備室１１３k（ｋ＝１〜ｎ）、ＣＴ室１１４k（ｋ＝１〜ｎ）、及び計算機室１１５から構成される。
これらの部屋１１０（１１１〜１１５）が院内LAN等で接続されることで、情報ネットワーク２００が構成される。
【００１５】
治療室１１１にはＸ線や重粒子線等を照射するための治療装置１２０が、ＣＴ室１１４には放射線照射時の位置合わせに用いる照射患部の画像データを撮像するためのＣＴ装置１３０が、配備される。
また、計算機室１１５には、管理システム１００を格納した放射線治療スケジュール管理装置１５０が配備される。
スタッフがスケジュールを管理するためのスケジュール表示／変更端末５０は、各治療室１１１及びスタッフ室１１２等に配置される。
【００１６】
治療を実施する際には、固定具作成、ＣＴ撮影、リハーサル、問診及び説明、及び治療照射等の種々のイベントを患者毎に登録し、スケジューリングをする必要がある。
実施形態に係る管理システム１００は、これらのイベントのスケジュールを管理するものである。
【００１７】
図２は、管理システム１００のイベント登録ウィンドウ１６０の一例を示す図である。
スタッフは、イベント登録ウィンドウ１６０の入力項目に沿ってデータを入力して、タイムコラム４１０に挿入するイベント枠１５を作成する（いずれも図４を参照）。
【００１８】
入力項目は、例えば、日付、対象部屋、治療の開始時刻及び終了時刻、イベント名、イベント枠１５のタイトル枠１５１に表示するタイトル、イベント枠内の背景色、及びコメント等である。
【００１９】
タイトル入力欄１１の選択バーには予め登録された患者氏名及び治療IDが登録されており、選択可能になっている。
また、イベント毎のコメントを任意に入力することができる。
また、イベント枠１５内の背景色を選択可能にすることで、各イベント枠１５をその内容毎に容易に識別することができる。
【００２０】
（第１実施形態）
図３は、第１実施形態に係る管理システム１００の概略構成図である。
管理システム１００は、図３に示されるように、主に入出力部１２、データ取得部１３、データベース３００、及び視覚表生成部１４で構成される。
【００２１】
入出力部１２は、図２の一例で示したイベント登録ウィンドウ１６０を表示するスケジュール表示／変更端末５０と、管理システム１００の他の内部機構（１３，１４，３００）と、の情報の譲受を媒介する。
【００２２】
具体的には、入出力部１２は、イベント登録ウィンドウ１６０からのスタッフによるデータの入力を受け付けてデータベース３００に保存するとともに、適宜視覚表生成部１４にこのデータを送る。
また、視覚表生成部１４から出力されるスケジュール表４００ａをスケジュール表示／変更端末５０内のスケジュール表示手段５１に出力する。
【００２３】
データ取得部１３は、視覚表生成部１４の指令に従い、入出力部１２が受け付けた入力データに基づいて各データテーブル（３０１〜３０４）を参照して視覚表生成部１４が使用するデータを取得し、視覚表生成部１４に送る。
【００２４】
ここで、図４は第１実施形態で生成されるスケジュール表４００ａの一例を示す図である。
視覚表生成部１４は、イベント枠１５を挿入したタイムテーブル４２０を作成して入出力部１２を介してスケジュール表示／変更端末５０に出力する。
【００２５】
データベース３００には、患者の個人情報や各種のスケジュールが複数のテーブル（３０１〜３０４）にまとめられて保持される。
データベース３００は、放射線治療スケジュール管理装置１５０（図１）内に構築されても、情報ネットワーク２００上に分散して構築されてもよく、その保持方法は特に限定されない。
【００２６】
データテーブル（３０１〜３０４）は、例えば、患者治療データテーブル３０１を親テーブルとして、イベント所要時間マスタテーブル３０２、治療スケジュールデータテーブル３０３、及び患者治療スケジュールデータテーブル３０４等が親テーブルに関連付けられる。
【００２７】
ここで、図５は、患者治療データテーブル３０１の一例を示す図である。
例えば、イベント登録ウィンドウ１６０のタイトル入力欄１１において特定の患者氏名及び治療IDが選択された場合を考える。
この選択により、データ取得部１３は、これら患者氏名及び治療IDに紐付けられた患者治療データテーブル３０１内の入院／外来区分、性別及び照射部位の各データを呼び出して視覚表生成部１４に送る。
【００２８】
図３及び図４に戻って説明を続ける。
視覚表生成部１４は、図３及び図４に示されるように、例えば、タイムコラム４１０（４１０1〜４１０n）を生成するタイムテーブル生成機構２０と、このタイムコラム４１０に挿入するイベント枠１５を生成するイベント枠生成機構３０と、に大別される。
【００２９】
視覚表生成部１４は、イベント枠生成機構３０が生成するイベント枠１５をタイムテーブル生成機構２０が生成するタイムコラム４１０に挿入することで、反対に空き時間を可視化した表画像を生成する。
タイムコラム４１０は、日付及び部屋１１０（１１０〜１１５）毎に特定される。
つまり、日付及び部屋１１０毎の単位で生成されたタイムコラム４１０（４１０1〜４１０n）が、複数並置されて全体として一つのタイムテーブル４２０を構成する。
【００３０】
イベント枠生成機構３０は、イベント枠生成部３１、枠幅決定部３２、枠高さ決定部３３、識別表示部３４、及びデフォルト通知部３５を備える。
枠高さ決定部３３は、部屋１１０の占有時間に応じたイベント枠１５の高さを決定する。
イベント枠１５の高さを決定する際、イベント所要時間マスタテーブル３０２を利用するのが望ましい。
【００３１】
ここで、図６（Ａ）は、イベント所要時間マスタテーブル３０２の一例を示す図である。
イベント所要時間マスタテーブル３０２は、照射部位、イベントSeq、及び治療Seq等によって特定される各イベントのデフォルトの所要時間を規定するマスタである。
例えばイベント枠生成機構３０ないにデフォルト通知部３５を設けて、入出力部１２から受信した入力データからイベントのデフォルトの所要時間をイベント所要時間マスタテーブル３０２から取得させる。
【００３２】
デフォルト通知部３５は、取得したデフォルトの所要時間を枠高さ決定部３３に通知するとともに、この所要時間をスケジュール表示手段５１に表示する。
作業員は、このデフォルトの所要時間をそのままイベントの所要時間として確定させてもよいし、患者の事情を考慮してデフォルトから増減させてイベントの所要時間を決定してもよい。
決定したイベントの所要時間は、枠高さ決定部３３に通知され、イベント枠１５の高さが確定する。
【００３３】
また、図６（Ｂ）は治療スケジュールデータテーブル３０３を示す図である。
治療スケジュールデータテーブル３０３は、図６（Ｂ）に示されるように、例えば、治療Seq及びイベントSeqに各タイムコラム４１０のイベントの占有時間帯が紐付けたテーブルである。
【００３４】
枠幅決定部３２は、治療スケジュールデータテーブル３０３を参照して、占有する時間帯が重複するｎ個ある場合に、イベント枠１５の枠幅をｎ分割した長さに決定する。
これらｎ個のイベント枠１５を重複するタイムゾーンΨ内に横に並べて表示する。
【００３５】
イベント枠生成部３１は、枠高さ決定部３３及び枠幅決定部３２によって決定された枠幅と高さを有する四角形状のイベント枠１５を生成する。
【００３６】
このイベント枠１５には、タイトル枠１５１が設けられる。
タイトル枠１５１には、識別表示部３４が、例えば上述の患者治療データテーブル３０１等から読み取った患者の属性や、イベントの内容を、文字、アイコン、又は簡略記号などの形式で簡略表示１６をする。
例えば、図４に示されるように、外来患者には「外」、入院患者には「入」、看護師の付き添いが必要な患者には「助」などの患者の属性が表示される。
【００３７】
また、識別表示部３４は、デフォルト通知部３５で識別されたイベント内容をタイトル枠１５１に同様に文字又はアイコンなどの形式で表示する。
例えば、子宮がん治療の患者には「子」、前立腺がんの患者には「前」など治療内容を略式の文字を用いる。
【００３８】
図７は、患者治療スケジュールデータテーブル３０４を示す図である。
また、識別表示部３４は、イベントが粒子線照射である場合に、患者治療スケジュールデータテーブル３０４を参照してビームポート毎にイベント枠１５の枠色を区別させる。
【００３９】
どのビームポートを用いるかは、治療計画を立てる際及び実際にポートに患者を移動させる際に重要になる。
そこで、識別表示部３４が一目でこのイベントがどのポートで実施されるのかが分かるように枠色を区別する。
また、イベント内容が粒子線照射であるにも関わらず、ポートデータが入力されていない場合には、イベント枠１５を太線で強調表示して、治療計画の作成が未完成であることを明示する。
【００４０】
さらに、識別表示部３４が枠高さ決定部３３で決定された占有時間をイベント枠１５に表示させると、そのイベントが部屋１１０を占有する正確な時間帯を一目で把握することができる。
【００４１】
一方、タイムテーブル生成機構２０は、タイムコラム生成部２１、イベント枠挿入部２２及び未確定予定管理部２３を備える。
タイムコラム生成部２１は、タイムコラム４１０を生成するとともに、これらを並置したタイムテーブル４２０を含むスケジュール表４００ａを生成する。
【００４２】
なお、各タイムコラム４１０（４１０1〜４１０n）は、図４に示されるように、時刻を揃えるように並列に並べると一覧性が向上する。
このように生成されたタイムコラム４１０に対して、イベントが占有する時間帯に、イベント枠挿入部２２から、イベント枠１５が挿入される。
【００４３】
つまり、視覚表生成部１４は、全体として、スケジュール表４００ａを部屋１１０毎かつ日付毎で区分されたタイムコラム４１０で表現して、このタイムコラム４１０上の対応する時間帯にイベント枠１５を表示することで、反対に空き時間を可視化させる。
【００４４】
このとき、上述したように、２以上のイベントの占有時間帯が重複した場合、イベント枠挿入部２２は、イベント枠１５をタイムコラム４１０上に並列に配置して表示させる。
並列して配置することで、イベントが重複状態にあることを一目で把握させることができる。
【００４５】
未確定予定管理部２３は、イベント登録ウィンドウ１６０（図２）において日付のみが入力されて部屋１１０及び時間が未記入なままのイベント枠１５の個数を未指定欄４１２に表示する。
【００４６】
また、未確定予定管理部２３は、日付及び部屋１１０は入力されているが時間が入力されていないイベント枠１５の個数を時間外欄４１３に表示する。
これらのイベント枠１５の時間等は早めに確定する必要があるので、文字色又は文字サイズを他と異なるものにして強調することが望ましい。
【００４７】
［視認性の向上］
次に、引き続き図３及び図４を用いて、スケジュールの把握をより容易にする視認性の向上技術を説明する。
まず、タイムコラム４１０の枠外に日付切り替えボタン４３（図４中「＜」、「＞」、「＜＜」、「＞＞」）を設けて、表上に表示させる日付を１日毎又は数日毎に切り替える。
【００４８】
一度に数日分のスケジュールを確認できるように、表上には数日分のタイムコラム４１０を並列に表示可能にすることが望ましい。
このとき、スケジュールを確認している現在の日付範囲を瞬時に把握できるように、本日のタイムコラム４１０と本日以外とで背景色を色分ける。
【００４９】
また、同様に部屋毎の視認性を高めるために、隣接するタイムコラム４１０の背景色を色分ける。
【００５０】
また、タイムコラム４１０には、所定時間毎に目盛りを付与することで、さらに視認性を向上させることができる。
この目盛りは、５分、１０分、１５分など指定及び変更を可能にしておくのが望ましい。
【００５１】
さらに、表示するタイムコラム４１０の数をウィンドウの大きさに追従して日数単位で増減させることが望ましい。
タイムコラム４１０の大きさを作業員の確認しやすいものに維持することができるからである。
【００５２】
次に、第１実施形態に係る放射線治療スケジュール管理方法を図８のフローチャートを用いて説明する（図１〜図６（Ｂ）を適宜参照）。
【００５３】
まず、入出力部１２が、イベント登録ウィンドウ１６０からスタッフによって入力されたデータを受け付ける（Ｓ１１）。
入出力部１２が受け付けたデータは、イベント枠生成機構３０又はタイムテーブル生成機構２０に送られる。
【００５４】
また、入力されたデータは、データ取得部１３を介して、データベース３００に保存される。
次に、データ取得部１３が、イベント枠生成機構３０内の各部（３１〜３５）が、イベント枠１５の生成に必要なデータをデータベース３００から取得して各部（３１〜３５）に送る（Ｓ１２）。
同様に、データ取得部１３が、タイムテーブル生成機構２０内の各部（２１〜２３）からの指令でデータベース３００から指令に応じた必要データを取得して各部（２１〜２３）に送る（Ｓ１２）。
【００５５】
そして、イベント枠生成機構３０が、データ取得部１３を介して取得したデータに基づいてイベント枠１５を生成する（Ｓ１３〜Ｓ１５）
まず、枠高さ決定部３３が部屋１１０の占有時間に応じたイベント枠１５の高さを決定し、枠幅決定部３２がイベント枠１５の枠幅を決定する（Ｓ１３）。
この際、デフォルト通知部３５が通知するイベント別のデフォルトの所要時間を利用するのが好ましい。
【００５６】
そして、イベント枠生成部３１が、決定された枠幅と高さを有し、タイトル枠１５１を有するイベント枠１５を生成する（Ｓ１４）。
また、識別表示部３４が、タイトル枠１５１に患者の属性や、イベントの内容等を文字、アイコン、又は簡略記号などの形式で表示するとともに、イベント枠１５に部屋１１０を占有する時間帯を表示する（Ｓ１５）。
【００５７】
そして、タイムテーブル生成機構２０が、タイムテーブル４２０を含むスケジュール表４００ａを完成させる（Ｓ１６〜Ｓ１８）。
まず、タイムコラム生成部２１が、タイムコラム４１０を生成する（Ｓ１６）。
【００５８】
そして、上記Ｓ１７〜Ｓ１９の禁止範囲を避けて、イベント枠挿入部２２が、生成されたタイムコラム４１０のイベントが占有する時間帯にイベント枠１５を挿入する（Ｓ１７）。
タイムコラム４１０が並置されて全体としてタイムテーブル４２０になる。
このとき、未確定予定管理部２３が、日付、部屋１１０、及び時間のいずれかが未確定なイベント枠１５の個数を未指定欄４１２又は時間外欄４１３に表示する（Ｓ１８）。
【００５９】
未確定のイベント枠１５の個数は、文字色又は文字サイズを他と異なるものにして強調される。
このように完成されたタイムコラム４１０は、タイムコラム生成部２１から入出力部１２を介してスケジュール表示手段５１に表示される（Ｓ１９：ＥＮＤ）。
【００６０】
以上のように、視覚表生成部１４が各部屋１１０毎のスケジュール表４００ａをタイムテーブル４２０で表現して、このタイムテーブル４２０上の対応する時間帯にイベント枠１５を表示することで、反対に空き時間を可視化させる。
【００６１】
なお、以上の動作は、プログラムに沿ってコンピュータで実行してもよい。
例えば、管理システム１００は、ＣＰＵ等のプロセッサ、ＲＯＭ（Read Only Memory）、ＲＡＭ（Random Access Memory）、或いはＨＤＤ（Hard Disk Drive）等の記憶装置、を具備するコンピュータとして構成することができる。
【００６２】
この場合、図３に示す各部のうち、入出力部１２及び視覚表生成部１４の機能は、記憶装置に記憶された所定のプログラムをプロセッサが実行することによって実現することができる。
また、このようなソフトウェア処理に換えて、ＡＳＩＣ（Application Specific Integration Circuit）やＦＰＧＡ（Field-Programmable Gate Array）等のハードウェアで実現することもできる。
【００６３】
さらに、入出力部１２及び視覚表生成部１４は、ソフトウェア処理とハードウェアによる処理を組み合わせて実現することもできる。
また、図３に示す構成のうち、データベース３００は、ＲＯＭまたはＲＡＭ等の記憶装置によって実現される。
【００６４】
以上のように、第１実施形態に係る管理システム１００によれば、部屋毎の空き状況を瞬時に把握することができる。
【００６５】
（第２実施形態）
〔禁忌管理〕
図９は、第２実施形態に係る管理システム１００の概略構成図である。
第２実施形態に係る管理システム１００は、図９に示されるように、禁忌管理部２４を備える。
【００６６】
禁忌管理部２４は、イベントを実施できない時間帯をタイムコラム４１０上に指定不能範囲として表示して入力不能範囲のイベント枠１５の挿入を禁止する。
禁忌管理部２４は、例えば、加速器管理部２４ａ、部屋管理部２４ｂ、及び実施整合部２４ｃである。
【００６７】
また、この禁忌管理に関連して、データベース３００は、加速器稼働スケジュールテーブル３０６、部屋使用スケジュールデータテーブル３０７、及びコースマスタテーブル３０８を保持する。
【００６８】
ここで、図１０は加速器稼働スケジュールテーブル３０６を示す図である。
また、図１１は、加速器の非稼動日及び部屋１１０の使用不可日をスケジュール表４００ｂの一部の一例を示す図である。
【００６９】
加速器管理部２４ａは、加速器稼働スケジュールテーブル３０６から加速器の非稼働日を取得して、イベント実施日の入力の際に非稼動日を指定不能にする。
加速器は荷電粒子を加速して患部に照射する粒子ビームを生成するものなので、加速器が非稼働なときは、粒子線治療を行えないからである。
【００７０】
加速器管理部２４ａは、非稼働日の指定を禁止することに加えて、非稼動日のタイムコラム４１０の背景色を他と区別させて、非稼動日であることを明示するのが望ましい。
なお、固定具作成又はＣＴ撮影など粒子線治療のための準備に関するイベントは配置することができる。
【００７１】
また、図１２は部屋使用スケジュールデータテーブル３０７を示す図である。
部屋管理部２４ｂは、部屋使用スケジュールデータテーブル３０７に基づいて、部屋１１０の使用不可日がある場合、イベント実施日の入力の際に、この使用不可日を指定不能にする。
使用不可日は、例えば、病院の休日、配置変更又は機器のメンテナンス等で部屋１１０が使用することができない日である。
【００７２】
部屋管理部２４ｂも同様に部屋１１０の使用不可日のタイムコラム４１０に対して背景色を他と区別させて、非稼動日であることを明示するのが望ましい。
加速器管理部２４ａによって挿入が禁止される第１エリアΩ、部屋管理部２４ｂによって禁止される第２エリアΣ、及びこれら双方（２４ａ，２４ｂ）によって禁止される第３エリアΦを色分けると、挿入ができないイベント枠１５の種類が明確になる。
【００７３】
また、図１３はコースマスタテーブル３０８の一例を示す図である。
実施整合部２４ｃは、データ間で不整合が発生する位置へのイベント枠１５の挿入を禁止する。
【００７４】
コースマスタテーブル３０８は、各部屋１１０で利用可能なビームの照射方向を定義したデータテーブルである。
実施整合部２４ｃは、イベントが粒子線照射である場合に、割り当てたポート又はビームコースと、コースマスタテーブル３０８とを比較する。そして、部屋１１０がビーム方向に対応していない場合にイベント枠１５の配置を禁止する。
【００７５】
なお、タイムコラム４１０へのイベント枠１５の挿入について禁忌管理をすること以外は、第２実施形態は第１実施形態と同じ構造及び動作手順となるので、重複する説明を省略する。
図面においても、共通の構成または機能を有する部分は同一符号で示し、重複する説明を省略する。
【００７６】
このように、第２実施形態に係る管理システム１００によれば、イベントの実施が不可能な位置へのイベント枠１５の挿入を防止することができる。
【００７７】
（第３実施形態）
〔ユーザ設定記憶〕
図１４は、第３実施形態に係る管理システム１００の概略構成図である。
また、図１５は、ユーザ設定データテーブル３１１の一例を示す図である。
【００７８】
第３実施形態に係る管理システム１００は、図１４に示されるように、管理システム１００を使用するユーザ及びこのユーザによる設定を受け付けるユーザ設定受付部２５を備える。
【００７９】
そして、視覚表生成部１４は、イベント枠１５を選択されたユーザ名別に登録された表示形式で表示する。
また、ユーザ設定受付部２５に関連して、データベース３００にはユーザ設定データテーブル３１１が保持される。
【００８０】
スケジュール表４００上での見やすいと感じるフォント、イベント枠１５の背景色、又はタイムコラム４１０の背景色などはスタッフ毎に異なる。
また、スケジュール表４００上の確認箇所又は注目箇所などもスタッフによって異なる。
【００８１】
そこで、例えば視覚表生成部１４内にユーザ設定受付部２５を設けて、スタッフが自身に最適なように表示形式をカスタマイズすることを可能にする。
ユーザ設定受付部２５は、スケジュール変更手段５２から入力するユーザ名、枠色及びフォント等の諸設定を受け付ける。
【００８２】
そして、ユーザ設定受付部２５は、入力されたユーザ名に、これらの諸設定をリンク付けてデータベース３００のユーザ設定データテーブル３１１に保存する。
スタッフが例えばログイン時などの自己のユーザ名を入力した場合に、ユーザ設定受付部２５がユーザ設定データテーブル３１１からスタッフが登録した設定を呼び出して表示する。
【００８３】
なお、ユーザ名別に登録された表示形式で表示可能であること以外は、第３実施形態は第１実施形態と同じ構造及び動作手順となるので、重複する説明を省略する。
図面においても、共通の構成または機能を有する部分は同一符号で示し、重複する説明を省略する。
【００８４】
このように、第３実施形態に係る管理システム１００によれば、ユーザの快適と感じる表示形式で入力作業及びスケジュール確認作業をさせることができる。
【００８５】
（第４実施形態）
〔表示手段上での再編集〕
図１６は、第４実施形態に係る管理システム１００の概略構成図である。
【００８６】
第４実施形態に係る管理システム１００は、図１６に示されるように、第１実施形態で示したスケジュール変更手段５２とスケジュール表示手段５１と（図３）が一体化されたスケジュール編集表示手段５７を備える。
つまり、一旦表示されたスケジュール表４００の再編集を可能にする。
【００８７】
この再編集を可能にするために、管理システム１００は、さらにカーソル感知部５３を例えば入出力部１２内に備える。
カーソル感知部５３は、画面上に表示されたスケジュール表４００上のカーソルに位置を感知してこの位置情報を視覚表生成部１４に通知する。
【００８８】
第４実施形態では、情報に未入力箇所があるイベントを、ツールチップ４１７を介して再編集する２つの例を説明する。
【００８９】
図１７（Ａ）は、未指定欄４１２に表示される第１ツールチップ４１７ａの一例を示す図、図１７（Ｂ）は、時間外欄４１３に表示される第２ツールチップ４１７ｂの一例を示す図である。
【００９０】
未指定欄４１２は、イベントが実施される日付は確定しているが、部屋１１０及び実施時間が未確定のイベントの件数を表す欄である。
また、時間外欄４１３は、イベントが実施される日付及び部屋１１０は確定しているが、実施時間が未確定のイベントの件数を表す欄である。
【００９１】
この未指定欄４１２又は時間外欄４１３上に例えばカーソル５４が合わせられたときに、カーソル感知部５３が、その旨を未確定予定管理部２３に通知をする。
未確定予定管理部２３は、この通知を受信して、未指定欄４１２又は時間外欄４１３でカウントされたイベントの一覧をツールチップ４１７（４１７ａ，４１７ｂ）で表示する。
【００９２】
そして未確定予定管理部２３は、スタッフによってこの一覧から選択されたイベントについて、例えばイベント登録ウィンドウ１６０を表示して情報入力を再開させる。
このとき、ビームのポートが未だ割り当たっていないイベントについては、図１７（Ａ）に示されるように、第１実施形態と同様に枠線の太さ又は枠色を変更して強調するのが望ましい。
【００９３】
また、図１８はイベント枠１５に詳細ポップアップ４１８が表示されている状態を示す図である。
イベント枠１５上に例えばカーソル５４が合わせられたときに、カーソル感知部５３が、その旨を識別表示部３４に通知をする。
【００９４】
通知を受信した識別表示部３４は、イベント枠１５に対応するイベントの詳細な情報を詳細ポップアップ４１８で表示する。
詳細ポップアップ４１８には、担当医等の患者の属性情報に加えてポート番号や、照射方向などの治療計画データなどイベント詳細が表示される。
【００９５】
また、詳細ポップアップ４１８には、スケジュール調整ボタン４１が設けられる。
このボタンの押下によって、イベント登録ウィンドウ１６０（図２）が表示され、編集の再開が可能になる。
【００９６】
なお、一旦表示したスケジュール表４００から情報に未入力箇所があるイベントの再編集をすること以外は、第４実施形態は第１実施形態等と同じ構造及び動作手順となるので、重複する説明を省略する。
図面においても、共通の構成または機能を有する部分は同一符号で示し、重複する説明を省略する。
【００９７】
このように第４実施形態に係る管理システム１００によれば、第１実施形態の効果に加え、スケジュール表４００からイベントの編集を再開することができるので、編集の再開作業が容易になる。
また、実施時間が確定していないイベントの一覧やそのイベントの詳細等と、タイムコラム４１０上の空き時間とを同時に確認することができるので、イベント編集の検討が用意になる。
【００９８】
（第５実施形態）
〔イベント枠の移動〕
図１９は、第５実施形態に係る管理システム１００の概略構成図である。
また、図２０は第５実施形態で生成されるスケジュール表４００ｃの一例を示す図である。
【００９９】
第５実施形態に係る管理システム１００は、図１９及び図２０に示されるように、第４実施形態の構成に加えて、スケジュール表４００ｃ上におけるカーソル５４による移動指令動作に従ってイベント枠１５を移動させるイベント枠移動部２２ａを備える。
【０１００】
イベント枠移動部２２ａによって、スケジュール表４００ｃ上のイベント枠１５を移動させてスケジュールを変更することができる。
移動指令動作は、例えば、ドラッグ・アンド・ドロップや、カット・アンド・ペースト等である。
【０１０１】
また、スケジュールを変更したイベント枠１５は、背景色又は文字色等を他と区別して、変更したことを明示するのが望ましい。
イベント枠移動部２２ａは、例えば、イベント枠挿入部２２内に設けられる。
【０１０２】
また、管理システム１００は、第４実施形態で示した未確定のイベント一覧として表示されたイベントをツールチップ４１７からタイムコラム４１０に移動させる時刻確定部２２ｂを備えてもよい。
ドラッグ・アンド・ドロップなどにより選択された未確定のイベントはタイムコラム４１０にイベント枠１５として挿入される。
【０１０３】
また、管理システム１００は、スケジュール表４００ｃ上でのイベント枠１５の高さ及び横幅の変更指令動作に従って、イベント枠１５の形状を変更する枠形状変更部３６を備えてもよい。
変更指令動作は、例えば、カーソル５４によるイベント枠１５の枠部分をドラッグしながら引き上げ又は引き下げる動作である。
【０１０４】
また、イベント枠１５の横幅は、イベントの移動の結果、又はイベント枠１５の高さを変更した結果、タイムコラム４１０上で他のイベント枠１５と実施時刻が重複することになったことを枠形状変更部３６が読み取って例えば自動で変更する。
また、イベント枠１５をクリックして、配置決定に必要な情報を編集によって変更してもよい。
【０１０５】
枠形状変更部３６は、例えば図１９に示されるようにイベント枠生成機構３０内に設けられてもよいし、イベント枠挿入部２２内に設けられてもよい。
上記いずれかの方法で新たに挿入されたイベント枠１５は、更新ボタン４２の押下をトリガに、時刻反映部５９にタイムコラム４１０上の挿入位置が読み取られる。
そして、時刻反映部５９によって変更されたイベントの実施時刻がデータベース３００に反映される。
【０１０６】
なお、イベント枠１５をスケジュール編集表示手段５７上で直接編集又は移動することが可能であること以外は、第５実施形態は第４実施形態と同じ構造及び動作手順となるので、重複する説明を省略する。
図面においても、共通の構成または機能を有する部分は同一符号で示し、重複する説明を省略する。
【０１０７】
従来では、空時間に患者を割り当てる場合、部屋単位の患者一覧、及び患者の治療スケジュール画面及び登録画面等の複数の画面を確認しながら空き時間にイベントを割り当てなければならなかった。
【０１０８】
しかし、第５実施形態に係る管理システム１００によれば、イベント枠１５の挿入位置等をスケジュール表４００ｃ上で変更することができるので、患者情報を見ながら、スケジュールを直接調整することができる。
【０１０９】
（第６実施形態）
〔複数イベントの一括移動〕
図２１は、第６実施形態に係る管理システム１００の概略構成図である。
【０１１０】
第６実施形態に係る管理システム１００は、図２１に示されるように、第５実施形態に加えて、リンク付けられた複数のイベント枠１５を同時に移動させる機能を有する。
【０１１１】
例えば、あるイベントの実施日に変更が発生した場合、後続する同一の患者のイベントも関連して変更する必要がある場合が多い。
そこで、第６実施形態では、このような複数のイベントのスケジュールを、部屋１１０の割り当てなどイベント相互の配置関係を維持したまま実施日又は実施時刻のみ変更可能にする。
【０１１２】
そこで、第６実施形態に係る管理システム１００は、例えばイベント枠挿入部２２内に、相互に関連するイベント枠１５を一括して移動させる一括移動部２２ｃを備える。
一括移動部２２ｃは、「Alt」などの予め規定された予約キーとマウスのイベント枠１５内クリックとの組み合わせをトリガに、関連する全てのイベント枠１５を同一の態様で実施日を変更する。
【０１１３】
ここで、図２２は、一括移動部２２ｃが表示させるイベント移動ウィンドウ１７０の一例を示す図である。
図２２の一例では、関連する後続のイベントを併せてシフトさせるか否かを選択可能にしている。
【０１１４】
「関連する後続のイベントを併せてシフトする」を選択して移動先の日付を入力するのみで、イベント同士の部屋割り当て及び時間的な相対関係を維持したまま、日付のみ変更することができる。
【０１１５】
なお、関連するイベント枠１５を一括して実施日のみの変更を可能にすること以外は、第６実施形態は第５実施形態と同じ構造及び動作手順となるので、重複する説明を省略する。
図面においても、共通の構成または機能を有する部分は同一符号で示し、重複する説明を省略する。
【０１１６】
このように、第６実施形態に係る管理システム１００によれば、関連するイベント枠１５を一括して移動させることで、既にイベント相互の整合性を加味して決定されたイベント枠１５の相対関係を維持して、イベントの実施時刻又は実施日を変更することができる。
【０１１７】
（第７実施形態）
〔仮予約〕
図２３は、第７実施形態に係る管理システム１００の概略構成図である。
また、図２４は第７実施形態で生成されるスケジュール表４００ｄの一例を示す図である。
【０１１８】
第７実施形態に係る管理システム１００は、図２３に示されるように、治療の詳細を規定する治療オーダが未発行のイベントに関するイベント枠１５をタイムコラム４１０上に挿入する仮予約部３８を備える。
【０１１９】
通常、イベント枠１５に関連付けられるイベントの治療スケジュールデータテーブル３０３等の詳細は、治療オーダに基づいて規定される。
しかし、治療オーダが未発行であってもひとまず部屋１１０を確保する必要がある場合がある。
【０１２０】
そこで、イベントの内容欄をブランクにしたまま、仮予約部３８は、部屋１１０、実施日、及び実施の時間帯など最小限の項目のみの入力を受け付けて仮枠５６を生成する。
仮枠５６の生成方法は、例えば、図２４に示されるように、仮予約ボタン３９の押下をトリガに仮枠５６の生成モードに切り替えて、タイムコラム４１０上の仮枠５６を挿入したい時間帯をクリックしながら掃引して生成する。
【０１２１】
また、この仮枠５６のダブルクリックをトリガに、仮予約部３８は、仮枠５６のイベントに関連付けられる各種の属性に関する編集を受け付ける。
編集後の更新ボタン４２の押下によって、仮枠５６は、イベント枠１５として確定する。
【０１２２】
なお、イベントの仮予約ができること以外は、第７実施形態は第４実施形態と同じ構造及び動作手順となるので、重複する説明を省略する。
図面においても、共通の構成または機能を有する部分は同一符号で示し、重複する説明を省略する。
【０１２３】
このように、第７実施形態に係る管理システム１００によれば、部屋１１０及び時間の仮予約を可能にすることで、治療オーダの発行を待たずにひとまず部屋１１０を確保することができる。
つまり、部屋１１０の確保と治療オーダとの順番を互いに拘束させないことで、スタッフの事務負担を軽減することができる。
【０１２４】
（第８実施形態）
〔進捗管理〕
図２５は、第８実施形態に係る管理システム１００の概略構成図である。
また、図２６は第８実施形態において実績表示モードにされたタイムコラム４１０ａの一例を示す図である。
【０１２５】
第８実施形態に係る管理システム１００は、図２５及び図２６に示されるように、視覚表生成部１４に、タイムコラム４１０ａ上のイベント枠１５を実施済みのものと未実施のものとで区別して表示する進捗管理部２８を備える。
【０１２６】
ここで、図２７は、第８実施形態に係る管理システム１００が表示する実績入力ウィンドウ１８０の一例を示す図である。
第８実施形態では、進捗管理部２８が、図２７に示されるような実績入力ウィンドウ１８０をスケジュール編集表示手段５７に表示する。
【０１２７】
スタッフは、このウィンドウに従って、実際に治療を実施した部屋１１０、開始及び終了の時刻、並びに実施済みか否かの状態を入力する。
進捗管理部２８は、実績表示ボタン４７（図２６）の押下等をトリガに、実績データに基づいてタイムコラム４１０ａ上に実施済みのイベント枠１５ａを未実施のものと区別して表示する。
【０１２８】
なお、実施済みのイベントと未実施のイベントとを識別して表示すること以外は、第８実施形態は第５実施形態等と同じ構造及び動作手順となるので、重複する説明を省略する。
図面においても、共通の構成または機能を有する部分は同一符号で示し、重複する説明を省略する。
【０１２９】
このように、第８実施形態に係る管理システム１００によれば、実施済みのイベントと未実施のイベントとを識別して表示することができるので、イベントの進捗状態を確認することができる。
また、この表示による予定時刻からの進捗状態の遅れ具合から、患者を案内する時刻を調整することができ、患者の待ち時間を短縮することができる。
【０１３０】
（第９実施形態）
〔過去データの利用〕
図２８は、第９実施形態に係る管理システム１００の概略構成図である。
また、図２９は、治療実績データテーブル３１２を示す図である。
【０１３１】
第９実施形態に係る管理システム１００は、図２８及び図２９に示されるように、第８実施形態の構成に加えて、進捗管理部２８が取得した治療実績データをデータベース３００に蓄積させるとともに集計する実績集計部６１を備える。
【０１３２】
実績集計部６１は、例えば、患者単位、照射部位単位、又はプロトコル単位でこの過去の治療実績データの集計をして、その平均値を算出し一覧として表示させる。
また、実績集計部６１は、この集計に基づいて、デフォルト通知部３５が未実施の同種のイベントに対して、デフォルトの所要時間を修正してもよい。
デフォルト通知部３５は、同種のイベントについてデフォルトの所要時間を通知する際に、実際にかかった所要時間の例えば平均値を表示することになる。
【０１３３】
なお、治療実績データの集計値を表示すること、及びイベントの所要時間として提案するデフォルト値を修正すること以外は、第９実施形態は第８実施形態と同じ構造及び動作手順となるので、重複する説明を省略する。
図面においても、共通の構成または機能を有する部分は同一符号で示し、重複する説明を省略する。
【０１３４】
このように、第９実施形態に係る管理システム１００によれば、治療実績データテーブル３１２を適時表示することができるので、次回の同種のパターンのイベントの割当時間を設定する際に、時間誤差を少ないものに設定することが可能になる。
つまり、部屋１１０の利用に無駄がなくなり、部屋１１０を有効に活用できる。
【０１３５】
（第１０実施形態）
〔連絡事項管理〕
図３０は、第１０実施形態に係る管理システム１００の概略構成図である。
また、図３１は第１０実施形態で生成されるスケジュール表４００ｅの一例を示す図である。
【０１３６】
第１０実施形態に係る管理システム１００は、図３０及び図３１に示されるように、スケジュール表４００ｅ上にタイムコラム単位、タイムテーブル単位で共通の連絡事項を表示する連絡事項管理部６２を備える。
【０１３７】
ここで、図３２は、第１０実施形態に係る管理システム１００が表示する連絡事項登録ウィンドウ１９０の一例を示す図である。
連絡事項管理部６２は、スケジュール表４００ｅ上に設けられた連絡ボタン４６の押下をトリガに、図３２に例示される連絡事項登録ウィンドウ１９０を呼び出す。
【０１３８】
また、この連絡事項登録ウィンドウ１９０は、連絡事項欄４１４のクリックと「Alt」等の特定の予約キーとを組み合わせた動作をトリガに呼び出されてもよい。
スタッフは、連絡事項登録ウィンドウ１９０の案内に従って、表示期間、表示対象部屋、文字色、及び背景色を入力する。
連絡事項の表示範囲は、タイムコラム単位である部屋単位、日付単位、又はタイムテーブル単位である施設単位で選択することができる。
【０１３９】
また、所定の予約キーと組み合わせたクリックがされたタイムコラム４１０を連絡事項の表示対象にする設定にしてもよい。
予約キーを押下したまま複数のタイムコラム４１０を選択可能にしてもよい。
この場合、選択されたタイムコラム４１０を横断した連絡事項を表示する横断的な表示範囲を確保することができる。
【０１４０】
連絡事項は、スタッフによる更新ボタン４２の押下をトリガに、記入事項がスケジュール表４００ｅ上に連絡事項欄４１４が生成されて、表示される。
また、図３３は、連絡事項データテーブル３１３の一例を示す図である。
更新ボタン４２の押下によって、記入された連絡事項は、連絡事項データテーブル３１３に保存される。
【０１４１】
なお、連絡事項管理部６２と第２実施形態の禁忌管理部２４とを組み合わせることで、イベント枠１５の挿入禁止範囲における禁止理由をスタッフが確認することができるようになる。
【０１４２】
なお、部屋１１０毎、日付毎、又は施設全体に共通する連絡事項の表示をすること以外は、第１０実施形態は第４実施形態等と同じ構造及び動作手順となるので、重複する説明を省略する。
図面においても、共通の構成または機能を有する部分は同一符号で示し、重複する説明を省略する。
【０１４３】
このように、第１０実施形態に係る管理システム１００によれば、イベントのスケジュールを決定する際に、スタッフ間で情報を共有して、連絡ミスを防止することができる。
【０１４４】
（第１１実施形態）
〔カレンダ表示〕
図３４は、第１１実施形態に係る管理システム１００の概略構成図である。
また、図３５は、第１１実施形態で生成されるスケジュール表４００ｆの一例を示す図である。
また、図３６は、第１１実施形態に係る管理システム１００が表示するカレンダ表示表４３０ａの一例を示す図である。
【０１４５】
第１１実施形態に係る管理システム１００は、図３４に示されるように、タイムコラム４１０を非表示にした週単位又は月単位のカレンダ表示に切り替えるカレンダ切替部６３を備える。
【０１４６】
カレンダ切替部６３は、スケジュール表４００ｆ上にカレンダ表示ボタン４０を表示する。
カレンダ表示ボタン４０の押下をトリガにして、カレンダ切替部６３は、図３６に例示される月単位のカレンダ表示表４３０ａを呼び出す。
【０１４７】
また、管理システム１００は、日付に割り当てられたイベント件数を表示する予定件数管理部６４を備える。
また、予定件数管理部６４は、日付欄１６４のクリック又は予定件数ボタン４８の押下をトリガに、その日付に予定されたイベントの一覧を表示する。
【０１４８】
また、第１１実施形態では、未確定予定管理部２３が、未割当数ボタン４９の押下をトリガに、第１実施形態で述べたタイムコラム４１０中の挿入箇所が確定していないイベント枠１５の個数を表示する。
つまり、未確定予定管理部２３が、日付及び部屋１１０は入力されているが実施時間が未確定なイベント枠１５の個数を表示する。
【０１４９】
また、未確定予定管理部２３は、カレンダ表示表４３０ａにおける日付欄１６４のクリック等をトリガに、第１ツールチップ４１７ａを表示する。
さらに、未確定予定管理部２３が、カレンダ表示表４３０ａにおける日毎部屋欄１６５のクリック等をトリガに、第２ツールチップ４１７ｂを表示する。
【０１５０】
つまり、未確定予定管理部２３が、時間外欄４１３又は未指定欄４１２でカウントされたイベントの一覧をそれぞれ表示する。
なお、表示されるこれらの一覧は、再編集が不可能な単なる一覧であってもよい。
【０１５１】
なお、カレンダ表示への切り替え、及びイベント件数及びイベント一覧の表示以外は、第１１実施形態は第５実施形態と同じ構造及び動作手順となるので、重複する説明を省略する。
図面においても、共通の構成または機能を有する部分は同一符号で示し、重複する説明を省略する。
【０１５２】
このように、第１１実施形態に係る管理システム１００によれば、１週間以上先の予定状況を把握できるため、患者の治療スケジュール作成やスタッフの人員計画がスムーズに行うことができる。
【０１５３】
（第１２実施形態）
〔挿入可能件数〕
図３７は、第１２実施形態に係る管理システム１００の概略構成図である。
また、図３８は、第１２実施形態に係る管理システム１００が表示するカレンダ表示表４３０ｂの一例を示す図である。
【０１５４】
第１２実施形態に係る管理システム１００は、図３６及び図３７に示されるように、第１１実施形態に加えて、イベントが設定されていない所定時間以上の連続時間がタイムコラム４１０上にある場合にこの連続時間を表示する空時間管理部６６を備える。
また、管理システム１００は、この連続時間を所定時間で割った商を、イベントの設定可能な空き時間の件数として表示する空枠件数管理部６７を備える。
【０１５５】
空時間管理部６６は、カレンダ表示表４３０ｂ上に空き時間ボタン４５を表示する。
そして、空時間管理部６６は、空き時間ボタン４５の押下をトリガとして、タイムコラム４１０における所定時間以上の連続した空き時間を計算して、イベント枠１５の挿入可能な空き時間として表示する。
計算に含ませる所定時間とは、イベント枠１５の挿入可能な最小単位として例えば１５分以上の連続時間である。
【０１５６】
計算単位は、例えば各タイムコラム４１０単位、すなわち、日付及び部屋１１０毎にする。
この連続時間の最小単位は、生成しうるイベント枠１５の最小時間に対応させて、選択による変更を可能にしておくのが望ましい。
なお、このような空き時間としてカウントされる連続時間が点在する場合、これらの合計の時間を表示する。
【０１５７】
空枠件数管理部６７は、カレンダ表示表４３０ｂ上に空枠件数ボタン４４を表示する。
そして、空枠件数管理部６７は、空枠件数ボタン４４の押下をトリガとして、タイムコラム４１０における所定時間以上の連続した空き時間の個数を計算して、イベント枠１５の挿入可能な空き時間件数として表示する。
【０１５８】
例えば、業務時間内に１時間の空き時間がある場合、60/15=4件のイベントが予約可能になるので、日毎部屋欄１６５には「４件」と表示される。
また、0件の場合は何も表示しないことで、イベント枠１５の挿入可能な空き時間がある場合にその旨を強調することができる。
【０１５９】
また、空き時間件数の表示と第４実施形態で示した挿入場所の未確定のイベント枠１５の一覧を表示するツールチップ４１７（４１７ａ，４１７ｂ）を組み合わせることで、未確定のイベント枠１５のスケジュールを効率よく確定させることができる。
この場合、未割当数ボタン４９の押下、又は日付欄１６４又は日毎部屋欄１６５へのマウスクリックをトリガに、対応したツールチップ４１７を表示するのが好ましい。
【０１６０】
なお、空き時間を表示すること及び空き時間表示欄４１６付近にイベントリストを表示すること以外は、第１２実施形態は第１１実施形態等と同じ構造及び動作手順となるので、重複する説明を省略する。
図面においても、共通の構成または機能を有する部分は同一符号で示し、重複する説明を省略する。
【０１６１】
このように、第１２実施形態に係る管理システム１００によれば、カレンダ表示表４３０上でイベント枠１５の挿入可能な空き時間を確認することができる。
また、管理システム１００によれば、この空き時間をイベント枠１５の挿入可能な所定時間で割り算することで、挿入可能な空き時間の件数を表示することができる。
よって、スタッフは、この空き時間表示及び表示件数を基に各タイムコラム４１０へのイベント枠１５の振り分けを検討することができる。
【０１６２】
以上述べた少なくとも一つの実施形態の管理システム１００によれば、部屋毎の空き状況を瞬時に把握することが可能となる。
【０１６３】
本発明のいくつかの実施形態を説明したが、これらの実施形態は、例として提示したものであり、発明の範囲を限定することは意図していない。
これら実施形態は、その他の様々な形態で実施されることが可能であり、発明の要旨を逸脱しない範囲で、種々の省略、置き換え、変更、組み合わせを行うことができる。
これら実施形態やその変形は、発明の範囲や要旨に含まれると同様に、特許請求の範囲に記載された発明とその均等の範囲に含まれるものである。
【符号の説明】
【０１６４】
１００…放射線治療スケジュール管理システム（管理システム）、２００…情報ネットワーク、１１…タイトル入力欄、１２…入出力部、１３…データ取得部、１４…視覚表生成部、１５（１５ａ）…イベント枠（実績表示モードのイベント枠）、１５１…タイトル枠、１６…簡略表示、２０…タイムテーブル生成機構、２１…タイムコラム生成部、２２…イベント枠挿入部、２２ａ（２２）…イベント枠移動部、２２ｂ（２２）…時刻確定部、２２ｃ（２２）…一括移動部、２３…未確定予定管理部、２４…禁忌管理部、２４ａ（２４）…加速器管理部、２４ｂ（２４）…部屋管理部、２４ｃ（２４）…実施整合部、２５…ユーザ設定受付部、２８…進捗管理部、３０…イベント枠生成機構、３１…イベント枠生成部、３２…枠幅決定部、３３…枠高さ決定部、３４…識別表示部、３５…デフォルト通知部、３６…枠形状変更部、３８…仮予約部、３９…仮予約ボタン、４０…カレンダ表示ボタン、４１…スケジュール調整ボタン、４２…更新ボタン、４３…日付切り替えボタン、４４…空枠件数ボタン、４５…空き時間ボタン、４６…連絡ボタン、４７…実績表示ボタン、４８…予定件数ボタン、４９…未割当数ボタン、５０…変更端末、５１…スケジュール表示手段、５２…スケジュール変更手段、５３…カーソル感知部、５４…カーソル、５６…仮枠、５７…スケジュール編集表示手段、５９…時刻反映部、６１…実績集計部、６２…連絡事項管理部、６３…カレンダ切替部、６４…予定件数管理部、６６…空時間管理部、６７…空枠件数管理部、１１０（１１１〜１１５）…部屋、１１１（１１１１〜１１１ｎ）…治療室、１１２ｋ（ｋ＝１〜ｎ）…スタッフ室、１１３ｋ（ｋ＝１〜ｎ）…準備室、１１４ｋ（ｋ＝１〜ｎ）…ＣＴ室、１１５…計算機室、１２０…治療装置、１３０…ＣＴ装置、１５０…放射線治療スケジュール管理装置、１６０…イベント登録ウィンドウ、１６４…日付欄、１６５…日毎部屋欄、１７０…イベント移動ウィンドウ、１８０…実績入力ウィンドウ、１９０…連絡事項登録ウィンドウ、３００…データベース、３０１…患者治療データテーブル、３０２…治療スケジュールデータテーブル、３０３…患者治療スケジュールデータテーブル、３０４…イベント所要時間マスタテーブル、３０６…加速器稼働スケジュールテーブル、３０７…部屋使用スケジュールデータテーブル、３０８…コースマスタテーブル、３１１…ユーザ設定データテーブル、３１２…治療実績データテーブル、３１３…連絡事項データテーブル、４００（４００ａ〜４００ｆ）…スケジュール表、４１０（４１０ａ）…タイムコラム（実績表示モードのタイムコラム）、４１２…未指定欄、４１３…時間外欄、４１４…連絡事項欄、４１６…空き時間表示欄、４１７（４１７ａ，４１７ｂ）…ツールチップ（第１ツールチップ，第２ツールチップ）、４１８…詳細ポップアップ、４２０…タイムテーブル、４３０（４３０ａ，４３０ｂ）…カレンダ表示表、Ω…第１エリア、Σ…第２エリア、Φ…第３エリア、Ψ…重複したタイムゾーン。
【図１】
2019013660.tif 000003
【図２】
2019013660.tif 000004
【図３】
2019013660.tif 000005
【図４】
2019013660.tif 000006
【図５】
2019013660.tif 000007
【図６】
2019013660.tif 000008
【図７】
2019013660.tif 000009
【図８】
2019013660.tif 000010
【図９】
2019013660.tif 000011
【図１０】
2019013660.tif 000012
【図１１】
2019013660.tif 000013
【図１２】
2019013660.tif 000014
【図１３】
2019013660.tif 000015
【図１４】
2019013660.tif 000016
【図１５】
2019013660.tif 000017
【図１６】
2019013660.tif 000018
【図１７】
2019013660.tif 000019
【図１８】
2019013660.tif 000020
【図１９】
2019013660.tif 000021
【図２０】
2019013660.tif 000022
【図２１】
2019013660.tif 000023
【図２２】
2019013660.tif 000024
【図２３】
2019013660.tif 000025
【図２４】
2019013660.tif 000026
【図２５】
2019013660.tif 000027
【図２６】
2019013660.tif 000028
【図２７】
2019013660.tif 000029
【図２８】
2019013660.tif 000030
【図２９】
2019013660.tif 000031
【図３０】
2019013660.tif 000032
【図３１】
2019013660.tif 000033
【図３２】
2019013660.tif 000034
【図３３】
2019013660.tif 000035
【図３４】
2019013660.tif 000036
【図３５】
2019013660.tif 000037
【図３６】
2019013660.tif 000038
【図３７】
2019013660.tif 000039
【図３８】
2019013660.tif 000040